(57)【要約】  【課題】  画像情報の比較のためには、正規化などの処理が必要であり、携帯端末装置内の計算機に対する負荷が大きい。  【解決手段】  被写体とカメラとの距離が一定の範囲にあるとき画像情報を取得し、これらどうしの比較を行うことで、画像情報における被写体の大きさを正規化する必要がない。画像認証携帯端末装置は、被写体とカメラとの距離が所定の範囲内にあるかどうかを判断する。所定の範囲内にないときは、ユーザーにその旨を告げ、再撮影を促すことができる。【選択図】図１
2005354328.tif 000002
【特許請求の範囲】
【請求項１】
レンズと被写体との距離である撮像距離に応じて位置を制御可能なフォーカスレンズを有するフォーカスレンズ部と、前記フォーカスレンズ部を介して被写体画像情報を取得する被写体画像情報取得部と、前記被写体画像情報取得部で取得する被写体画像情報のなかで、他の被写体画像情報と比較するための条件であって、被写体画像情報を取得した際の撮像距離に関する条件を含む比較条件を被写体画像情報が満たすか判断する判断部と、前記判断部において比較条件を満たすと判断された被写体画像情報どうしを比較する比較部とを有する画像認証携帯端末装置。
【請求項２】
前記フォーカスレンズ部のフォーカスレンズ位置は比較条件を満たすフォーカスレンズ位置範囲内に制限可能である請求項１に記載の画像認証携帯端末装置。
【請求項３】
前記判断部は、撮像距離が比較条件を満たすか、満たさないかを、前記フォーカスレンズの焦点が合ったときのフォーカスレンズ位置に基づいて判断するレンズ位置依存判断手段を有する請求項１に記載の画像認証携帯端末装置。
【請求項４】
前記判断部は、撮像距離が比較条件を満たすか、満たさないかを、前記フォーカスレンズ位置の制限範囲内で焦点が合うか合わないかに基づいて判断する焦点依存判断手段を有する請求項２に記載の画像認証携帯端末装置。
【請求項５】
前記判断部は、撮像距離が比較条件を満たす距離よりも遠い側にあるか、近い側にあるかを判断する遠近判断手段を有する請求項３または４に記載の画像認証携帯端末装置。
【請求項６】
前記判断部は、前記判断結果が比較条件を満たさないとの判断結果であるときは、その旨をユーザーに告げるための第一指示手段を有する請求項３または４に記載の画像認証携帯端末装置。
【請求項７】
前記判断部は、前記遠近判断手段の判断結果をユーザーに告げるための第二指示手段を有する請求項５に記載の画像認証携帯端末装置。
【請求項８】
前記比較部は、比較条件を設定するための比較条件設定手段を有する請求項１から７に記載の画像認証携帯端末装置。
【請求項９】
レンズと被写体との距離である撮像距離に応じてフォーカスレンズの位置を制御する制御ステップと、前記制御ステップにて制御されたフォーカスレンズを介して被写体画像情報を取得する被写体画像情報取得ステップと、前記被写体画像情報取得ステップにて取得する被写体画像情報のなかで、他の被写体画像情報と比較するための条件であって、被写体画像情報を取得した際の撮像距離に関する条件を含む比較条件を満たす被写体画像情報どうしを比較する比較ステップとを有する画像認証方法。
【発明の詳細な説明】
【技術分野】
【０００１】
本発明は画像認証を行う携帯端末装置に関する。
【背景技術】
【０００２】
特許文献１のように虹彩認証などの個人認証装置は、画像情報どうしを比較するために、被写体とカメラとの距離を固定して、取得された画像中の被写体の大きさを一定にし、画像認証を行う方法が用いられている。距離測定は、カメラの前方側に赤外線を投射し、被写体により反射されて入射する赤外線に基づいて行う。そして被写体とカメラとの距離が所望の距離であれば撮影を行い、被写体の画像を取得する。
【特許文献１】特許第３３１２３０３号公報
【０００３】
また、特許文献２のように被写体とカメラとの距離を測定せずに画像を取得した後、画像情報を拡大、縮小、回転（正規化）させて、画像情報どうしを比較する方法がある。顔画像認証の場合、比較対象となる２つの画像の各々において人の目が表されている画像上の位置を示す情報の取得を行い、両画像に各々表されている人の両目についての画像上の相対的な位置の違いに基づいて、両画像に対して拡大若しくは縮小又は回転の画像変換を行う。
【特許文献２】特開２００３−２４８８１５号公報
【発明の開示】
【発明が解決しようとする課題】
【０００４】
このような個人認証装置をカメラ付き携帯電話などの携帯端末を利用して実現することもできる。この場合、カメラと被写体との距離を測定するため、携帯端末に距離測定装置を搭載しなければならないが、携帯端末のような小型装置に距離測定装置を搭載することは技術的に困難であり、またコストもかかる。被写体とカメラとの距離を測定できない場合は、認証対象の着目部分の大きさは撮影ごとに異なるようになり、画像認証装置において大きさの正規化の処理が必要となるが、携帯端末のような小型装置にこのような機能を加えることにはコストがかかる。また、着目部分の大きさが通常より大きい場合は、大きさの正規化による情報の欠落はほとんどなく大きな問題にはならないが、着目部分の大きさが通常よりも小さい場合は、画像の大きさを正規化しようとしても、近接の画素より画素間の情報を補完しなければならず、正確な情報を再現できるわけではない。正確な情報が再現できない場合は著しく照合率が低下するという問題がある。
【課題を解決するための手段】
【０００５】
距離を測定する手段、あるいは画像情報の大きさを正規化する手段を用いなくても、画像認証を正確にすることができる。具体的には以下のような方法を用いる。
【０００６】
本発明は、画像認証携帯端末装置と被写体との距離（撮像距離）が、一定の範囲内にある被写体画像情報どうしを比較する。このようにすると、被写体画像情報に示された被写体の大きさが常に一定となるため、大きさの正規化の処理を必要とせず画像認証をすることができる。
【発明を実施するための最良の形態】
【０００７】
実施形態１は主に請求項１及び９について説明する。実施形態２は主に請求項２について説明する。実施形態３は主に請求項３について説明する。実施形態４は主に請求項４について説明する。実施形態５は主に請求項５について説明する。実施形態６は主に請求項６について説明する。実施形態７は主に請求項７について説明する。実施形態８は主に請求項８について説明する。
【０００８】
<実施形態１>
【０００９】
（実施形態１の概要）図１は本実施形態の概念を表した図である。従来の画像認証携帯端末では、撮像距離に関する条件を制限せずに被写体画像情報を取得したため、被写体画像情報における被写体の大きさが異なる画像情報どうしを比較することがあり（ｂ）、正確な画像認証ができなかった。本実施形態の画像認証携帯端末では、撮像距離に関して一定の条件を満たした被写体画像情報を取得する（ｃ）。このようにすると、被写体画像情報に示された被写体の大きさが同程度の画像情報どうしを比較でき（ｄ）、正確な画像認証が行えるようになる。
【００１０】
（実施形態１の構成）図２は、本実施形態の画像認証携帯端末装置の機能ブロック図を表す。図２にあるように、本実施形態の画像認証携帯端末装置（０２００）は、「フォーカスレンズ部」（０２０１）と、「被写体画像情報取得部」（０２０２）と、「判断部」と（０２０３）、「比較部」（０２０４）と、を有する。まず、上記構成にしたがって、本実施形態の構成要件について説明する。
【００１１】
「フォーカスレンズ部」（０２０１）は、撮像距離に応じて位置を制御可能なフォーカスレンズを有する。フォーカスレンズ位置は自動的に、及び／あるいはユーザーからの指示によって変化させることができる。ここでフォーカスレンズ位置とは、画像認証携帯端末装置内におけるフォーカスレンズの相対的な位置である。
【００１２】
「被写体画像情報取得部」（０２０２）は、前記フォーカスレンズを介して、被写体画像情報を取得する機能を有する。被写体画像情報とは、被写体が示された画像情報である。画像情報とは、フォーカスレンズが捕らえた光の強さなどを電気信号に変換するＣＣＤやＣＭＯＳイメージャ、色フィルターなどのカメラのデバイスによって生成された色や輝度などを示す信号である。この画像情報の例としては、輝度信号（Ｙ）や、その輝度信号と赤色成分の差（Ｕ）、輝度信号と青色成分の差（Ｖ）の３つの情報で色を表す信号であるＹＵＶ信号や、色を赤（Ｒ）・緑（Ｇ）・青（Ｂ）の三原色の組み合わせとして表現するＲＧＢ信号や、補色関係であるＣｙａａｎ（藍）、Ｍａｇｅｎｔａ（紅）、Ｙｅｌｌｏｗ（黄）、Ｇｒｅｅｎ（緑）の４色を示すＣＭＹＧ信号などが挙げられる。また、この画像情報取得部での取得は、例えば前記のようにＣＣＤやＣＭＯＳイメージャなどのデバイスを利用して、フォトダイオードなどが被写体のそれぞれの画素における光の強さを輝度信号（Ｙ）などの映像信号に変換することで行なわれる。画像情報の取得はフォーカスレンズ位置を変化させながら行い、その位置ごとにコントラスト比を計算する。次に、例えば、コントラスト比が極大となるところにフォーカスレンズ位置を合わせてから、被写体画像情報を取得する。
【００１３】
「判断部」（０２０３）は、他の被写体画像情報と比較するための条件である比較条件を、被写体画像情報が満たすかどうかを判断する。比較条件とは、特に被写体画像情報を取得した際の撮像距離に関するものである。その他の比較条件としては、例えば、被写体画像情報のコントラスト比、明るさなどがある。撮像距離に関する具体的な判断方法として、例えば次のような方法がある。画像認証携帯端末装置の画面が二分割でき、片方の画面には取得した被写体画像情報が表示され、もう片方の画面にはそれ以前に取得した比較対象となる被写体画像情報が表示されている。両方の画像情報における被写体の大きさが、同程度であるとユーザーが判断したときは、その旨を画像認証携帯端末装置に指示する。ユーザーからそのような指示があったときは、画像認証携帯端末は、被写体画像情報に識別情報を加える。「判断部」は、識別情報が加わった被写体画像情報を、比較条件を満たすと判断する。また被写体画像情報のコントラスト比、明るさについては、ある基準値の範囲内にあるときに比較条件を満たすと判断する。以上の結果、「判断部」が、被写体画像情報が比較条件を満たすと判断したときは、被写体画像情報を「比較部」（０２０４）に送信する。また別の具体例としては、フォーカスレンズ位置を、撮像距離が比較条件を満たすときに焦点が合うフォーカスレンズ位置に制限し、その制限されたフォーカスレンズ位置範囲内で被写体画像情報の焦点が合ったときには、撮像距離が比較条件を満たすと判断する方法がある。この方法の詳細については後述する。
【００１４】
「比較部」（０２０４）は、「判断部」（０２０３）において比較条件を満たすと判断された被写体画像情報どうしを比較する機能を有する。取得された被写体画像情報、及び比較対象となる被写体画像情報から、比較すべき被写体部分を抽出し両者を比較する。その結果両者が同一のものであるか否かを、ユーザーに知らせる。
【００１５】
（実施形態１の処理の流れ）図３は本実施形態における処理の流れの一例を示したものである。この図にあるように、画像認証携帯端末装置は、まずフォーカスレンズ位置を制御する（ＳＴＥＰ０３０１）。次に、その位置で被写体画像情報を取得する（ＳＴＥＰ０３０２）。次に、被写体画像情報における被写体の大きさが、比較対象となる被写体画像情報における被写体の大きさと同程度であるか否かの判断結果を取得する（ＳＴＥＰ０３０３）。次に、その判断結果に基づいて、「判断部」（０２０３）は取得された被写体画像情報が比較条件を満たすか満たさないかを判断する（ＳＴＥＰ０３０４）。比較条件を満たすと判断したときは、取得された比較条件を満たす被写体画像情報どうしを比較し画像認証を行い（ＳＴＥＰ０３０５）、比較条件を満たさないと判断したときは、そのまま処理を終了させる。撮像距離に関する比較条件はユーザーにより、あるいは画像認証携帯端末装置により予め決定されている。
【００１６】
（実施形態１の効果）以上のように本実施形態により、撮像距離が比較条件を満たすときの被写体画像情報どうしを比較することで、画像情報における被写体の大きさを一定の範囲内とすることができる。
【００１７】
<実施形態２>
【００１８】
（実施形態２の概要）本実施形態は、撮像距離が比較条件を満たすときのみ焦点が合うように、フォーカスレンズ位置が制限可能であることを特徴とする。フォーカスレンズ位置が制限されたときに、被写体画像情報の焦点が合っているか合っていないかをユーザーが判断することで、画像認証携帯端末装置は撮像距離が比較条件を満たすか満たさないかを判断することができる。
【００１９】
（実施形態２の構成）図４は、本実施例の画像認証携帯端末装置の機能ブロック図を表す。図４にあるように、本実施形態の画像認証携帯端末装置（０４００）は、「フォーカスレンズ部」（０４０１）と、「被写体画像情報取得部」（０４０２）と、「判断部」（０４０３）と、「比較部」（０４０４）と、を有する。まず、上記構成にしたがって、本実施形態の構成要件について説明する。
【００２０】
「フォーカスレンズ部」（０４０１）は、フォーカスレンズを有する。フォーカスレンズ位置は、比較条件を満たすフォーカスレンズ位置範囲内に制限可能である。この制限範囲は、フォーカスレンズの焦点が合ったときは、必ず撮像距離が比較条件を満たすように決められる。その他は実施形態１と同様である。
【００２１】
「判断部」（０４０３）は実施形態１と同様の機能を有する。具体的な判断方法は、実施形態１の方法に加え、次のような方法がある。フォーカスレンズ位置を制限したとき、被写体画像情報の焦点が合っているとユーザーが判断したときは、ユーザーはその旨を画像認証携帯端末に指示する。「判断部」は焦点が合っているとユーザーから指示があったときは、それに対応した識別情報を加え、識別情報があるかないかによって、撮像距離が比較条件を満たすか満たさないかを判断する。「判断部」が、被写体画像情報が比較条件を満たすと判断したときは、被写体画像情報を「比較部」（０４０４）に送信する。
【００２２】
「被写体画像情報取得部」（０４０２）及び「比較部」（０４０４）は、実施形態１と同様の機能を有するため、説明は省略する。
【００２３】
（実施形態２の処理の流れ）図５は本実施形態における処理の流れの一例を示したものである。最初に、カメラ内におけるフォーカスレンズの相対位置を制限するかどうか、ユーザーが決めることができる（ＳＴＥＰ０５０１）。制限するときは、まずコントラスト比が極大となるようにカメラ内におけるフォーカスレンズの相対位置を制御する（ＳＴＥＰ０５０２）。次に、その位置で被写体画像情報を取得する（ＳＴＥＰ０５０３）。次にユーザーは取得された被写体画像情報の焦点が合っているか合っていないかを判断し、画像認証携帯端末装置はユーザーの判断結果を取得する（ＳＴＥＰ０５０４）。「判断部」（０４０３）は、その指示に基づいて撮像距離が比較条件を満たすか満たさないかを判断する（ＳＴＥＰ０５０５）。その後の処理は実施形態１と同様である。ＳＴＥＰ０５０１において、ユーザーがカメラ内におけるフォーカスレンズの相対位置を制限しないと選択したときは、処理を終了する。
【００２４】
（実施形態２の効果）以上のように本実施形態では、フォーカスレンズ位置を制限したときに、被写体画像情報の焦点が合っていれば、撮像距離が比較条件を満たしていると判断できる。本実施形態は、実施形態１のように、ユーザーは２つの画像を見比べる必要はなく、１つの画像情報から、撮像距離が比較条件を満たしているか満たしていないかを判断することができる。
【００２５】
<実施形態３>（実施形態３の概要）本実施形態は、焦点が合ったときのフォーカスレンズ位置が、比較条件を満たすフォーカスレンズ位置範囲にあるかどうかによって、撮像距離が比較条件を満たすか満たさないかを判断する機能を有する。
【００２６】
（実施形態３の構成）図６は、本実施例の画像認証携帯端末装置（０６００）の機能ブロック図を表す。図６にあるように、本実施形態の画像認証携帯端末装置は、「フォーカスレンズ部」（０６０１）と、「被写体画像情報取得部」（０６０２）と、「判断部」（０６０３）と、「比較部」（０６０４）とを有する。まず、上記構成にしたがって、本実施形態の構成要件について説明する。
【００２７】
「フォーカスレンズ部」（０６０１）、「被写体画像情報取得部」（０６０２）そして「比較部」（０６０４）については実施形態１と同様の機能を有するため、説明は省略する。
【００２８】
「判断部」（０６０３）は撮像距離が比較条件を満たすか満たさないかを、フォーカスレンズの焦点が合ったときのフォーカスレンズ位置に基づいて判断する、レンズ位置依存判断手段を有する。レンズ位置依存判断手段の判断方法を図７に則して説明する。まずフォーカスレンズ位置を移動させながら画像取得を行い、焦点が合ったときのフォーカスレンズ位置を求める。次にそのフォーカスレンズ位置が、予め決められたフォーカスレンズ位置範囲にあるかどうかを判断する。このフォーカスレンズ位置範囲は、フォーカスレンズの焦点が合ったときは、必ず撮像距離が比較条件を満たすように決められる。焦点が合ったときのフォーカスレンズ位置が、前記フォーカスレンズ位置範囲にあるときは（図８(ａ)）、撮像距離が比較条件を満たすと判断し、前記フォーカスレンズ位置範囲にないときは（図８（ｂ））、撮像距離が比較条件を満たさないと判断する。その後の処理は実施形態１と同様である。
【００２９】
（実施形態３の処理の流れ）図９は本実施形態における処理の流れの一例を示したものである。本実施形態において実施形態１と異なる点は、焦点が合ったときのフォーカスレンズ位置が、前記フォーカスレンズ位置範囲にあるときは、撮像距離が比較条件を満たすと判断することである（ＳＴＥＰ０９０３）。それ以外の処理は実施形態１と同様である。
【００３０】
（実施形態３の効果）以上のように本実施形態では、撮像距離が比較条件を満たすか満たさないかの判断を、焦点が合ったときのフォーカスレンズ位置に基づいて行うことで、正確な判断を行うことが期待でき、画像認証の正確性をより高めることができる。また前記判断において、ユーザーの指示を必要とすることがなく、より迅速に画像認証を行うことができる。
【００３１】
<実施形態４>（実施形態４の概要）本実施形態は、実施形態２において、画像認証携帯端末装置が、焦点が合うか合わないかを判断する。焦点が合うと判断したときは、撮像距離が比較条件を満たすと判断し、他の被写体画像情報と比較を行う。
【００３２】
（実施形態４の構成）図１０は、本実施形態の画像認証携帯端末装置（１０００）の機能ブロック図を表す。図１０にあるように、本実施形態の画像認証携帯端末装置は、「フォーカスレンズ部」（１００１）と、「被写体画像情報取得部」（１００２）と、「判断部」（１００３）と、「比較部」（１００４）とを有する。まず、上記構成にしたがって、本実施形態の構成要件について説明する。
【００３３】
「フォーカスレンズ部」（１００１）、「被写体画像情報取得部」（１００２）そして「比較部」（１００４）については実施形態２と同様であり、説明は省略する。
【００３４】
「判断部」（１００３）は、撮像距離が比較条件を満たすか満たさないかを、フォーカスレンズ位置の制限範囲内で焦点が合うか合わないかに基づいて判断する焦点依存判断手段を有する。焦点依存判断手段の判断方法を図１１に則して説明する。図１１（ａ）について、被写体画像情報が制限されたフォーカスレンズ位置で焦点が合ったとき、つまり図１２（ａ）のようにコントラスト比が極大値を取ったときは、撮像距離が比較条件を満たすと判断する。図１１（ｂ）について、被写体画像情報が制限されたフォーカスレンズ位置範囲で焦点が合わなかったとき、つまり図１２（ｂ）のようにコントラスト比が極大値を取らなかったときは、撮像距離が比較条件を満たさないと判断する。その後の処理は実施形態１と同様である。
【００３５】
（実施形態４の処理の流れ）図１３は本実施形態における処理の流れの一例を示したものである。実施形態２と異なる点は、被写体画像情報の焦点が合うか合わないかを、ユーザーではなく「判断部」（１００３）が直接判断することである（ＳＴＥＰ１３０３）。それ以外の処理は実施形態２と同様である。
【００３６】
（実施形態４の効果）以上のように本実施形態では、焦点が合うか合わないかの判断を画像認証携帯端末装置が行うことによって、正確な判断を行うことが期待でき、画像認証の正確性をより高めることができる。またユーザーが、焦点が合うか合わないかの判断を行う手間が省け、より迅速に画像認証を行うことができる。
【００３７】
<実施形態５>（実施形態５の概要）本実施形態は、実施形態３において、撮像距離が比較条件を満たすか満たさないかだけでなく、比較条件を満たす距離より近い側にあるか、遠い側にあるかを判断する機能をさらに有する。
【００３８】
（実施形態５の構成）図１４は、本実施形態の画像認証携帯端末装置（１４００）の機能ブロック図を表す。図１４にあるように、本実施形態の画像認証携帯端末装置は、「フォーカスレンズ部」（１４０１）と、「被写体画像情報取得部」（１４０２）と、「判断部」（１４０３）と、「比較部」（１４０４）と、を有する。まず、上記構成にしたがって、本実施形態の構成要件について説明する。
【００３９】
「フォーカスレンズ部」（１４０１）、「被写体画像情報取得部」（１４０２）そして「比較部」（１４０４）については実施形態１と同様の機能を有するため、説明は省略する。
【００４０】
「判断部」（１４０３）は、撮像距離が比較条件を満たす距離より遠い側にあるか、近い側にあるかを判断する遠近判断手段を有する。「判断部」が、撮像距離が比較条件を満たすか満たさないかの判断をするまでは、実施形態３あるいは４と同様である。「判断部」が、撮像距離が比較条件を満たさないと判断した場合、次に遠近判断手段が、撮像距離が比較条件を満たす距離より遠い側にあるか近い側にあるかを判断する。本実施形態における判断処理の一例を、図１５に従って説明する。まずフォーカスレンズ位置を３つの領域、Ａ、Ｂ、Ｃに分割する。領域Ｂは実施形態２で述べた制限範囲と等しい。領域Ａは、この領域で焦点が合えば、撮像距離が比較条件を満たす距離よりも遠い側にあるようなフォーカスレンズ位置範囲である。領域Ｃは、この領域で焦点が合えば、撮像距離が比較条件を満たす距離よりも近い側にあるようなフォーカスレンズ位置範囲である。フォーカスレンズ位置が領域Ｂにあるときに焦点が合った場合（図１５（ｂ））、判断部は撮像距離が比較条件を満たすと判断し、領域Ａにあるときに焦点が合った場合（図１５（ａ））、遠近判断手段は撮像距離が比較条件を満たす距離よりも遠い側にあると判断し、領域Ｃにあるときに焦点が合った場合（図１５（ｃ））、遠近判断手段は撮像距離が比較条件を満たす距離よりも近い側にあると判断する。その後の処理は実施形態１と同様である。
【００４１】
また別の判断処理の一例を、図１６に従って説明する。フォーカスレンズ位置は、前記領域のＢのみ移動できるように制限されている。被写体画像情報が領域Ｂで焦点が合ったとき（図１６（ｂ））、判断部は撮像距離が比較条件を満たすと判断する。被写体画像情報が領域Ｂで焦点が合わず、領域Ａで焦点が合うようにコントラスト比が変化していると判断部が判断したときは（図１６（ａ））、撮像距離は比較条件を満たす距離より遠い側にあると判断する。被写体画像情報が領域Ｂで焦点が合わず、領域Ｃで焦点が合うようにコントラスト比が変化していると判断部が判断したときは（図１６（ｃ））、撮像距離は比較条件を満たす距離より近い側にあると判断する。
【００４２】
（実施形態５の処理の流れ）図１７は本実施形態における処理の流れの一例を示したものである。実施形態３あるいは４と異なる点は、「判断部」（１４０３）が、撮像距離が比較条件を満たさないと判断したときに、さらに撮像距離が比較条件を満たす距離より近いか遠いかの判断をも行い（ＳＴＥＰ１７０５）、それに対応した処理を行うことである（ＳＴＥＰ１７０６、１７０７）。それ以外の処理は実施形態３あるいは４と同様である。
【００４３】
（実施形態５の効果）以上のように本実施形態は、撮像距離が比較条件を満たす距離よりより遠い側にあるときと近い側にあるときとで異なった処理をすることができる。例えば後述するように、撮像距離が比較条件を満たす距離より近い側にあるか遠い側にあるかをユーザーに指示することができる。
【００４４】
<実施形態６>（実施形態６の概要）本実施形態は、実施形態３及び４における判断結果をユーザーに告げる機能を有する。ユーザーはその結果に基づいて画像認証携帯端末装置あるいは被写体を移動させ、撮像距離が比較条件を満たすようにすることができる。
【００４５】
（実施形態６の構成）図１８は、本実施形態の画像認証携帯端末装置（１８００）の機能ブロック図を表す。図１８にあるように、本実施形態の画像認証携帯端末装置は、「フォーカスレンズ部」（１８０１）と、「被写体画像情報取得部」（１８０２）と、「判断部」（１８０３）と、「比較部」（１８０４）と、を有する。まず、上記構成にしたがって、本実施形態の構成要件について説明する。
【００４６】
「フォーカスレンズ部」（１８０１）、「被写体画像情報取得部」（１８０２）そして「比較部」（１８０４）については実施形態１と同様であり、説明は省略する。
【００４７】
「判断部」（１８０３）は、実施形態３あるいは４の判断結果が、撮像距離が比較条件を満たさないとの判断結果であるときは、その旨をユーザーに告げるための第一指示手段を有する。ユーザーへの指示方法は、撮像距離が比較条件を満たすか満たさないかをユーザーが認識できれば、どのような形式でも良い。例えば、画面に比較条件を満たさない旨を文字で表示しても良いし、比較条件を満たすときと満たさないときとで、異なった色のランプを点灯させても良い。
【００４８】
（実施形態６の処理の流れ）図１９は本実施形態における処理の流れの一例を示したものである。ここでは実施形態３の判断方法で、撮像距離が比較条件を満たすか満たさないかの判断を行うこととした。実施形態３あるいは４と異なる点は、撮像距離が比較条件を満たさないと「判断部」（１８０３）が判断したとき、第一指示手段によってその判断結果をユーザーに告げることである（ＳＴＥＰ１９０５）。ユーザーはその指示に従って画像認証携帯端末装置あるいは被写体を移動させ（ＳＴＥＰ１９０６）、撮像距離が比較条件を満たすまで同じ処理を繰り返す。それ以外は実施形態３あるいは４と同様である。
【００４９】
（実施形態６の効果）以上のように本実施形態は、撮像距離が比較条件を満たさないときはその旨をユーザーに告げることができる。撮像距離が比較条件を満たさないときは、ユーザーは画像認証携帯端末装置あるいは被写体を移動させ、撮像距離が比較条件を満たすようにすることができる。
【００５０】
<実施形態７>（実施形態７の概要）本実施形態は、実施形態５における判断結果をユーザーに告げる機能を有する。つまり本実施形態は、撮像距離が比較条件を満たさない場合、撮像距離が比較条件を満たす距離より近い側にあるか遠い側にあるかの判断結果を、ユーザーに告げることができる。ユーザーはその指示に基づいて、画像認証携帯端末装置あるいは被写体を、どの方向に移動させれば良いのかを判断することができる。
【００５１】
（実施形態７の構成）図２０は、本実施形態の画像認証携帯端末装置（２０００）の機能ブロック図を表す。図２０にあるように、本実施形態の画像認証携帯端末装置は、「フォーカスレンズ部」（２００１）と、「被写体画像情報取得部」（２００２）と、「判断部」（２００３）と、「比較部」（２００４）と、を有する。まず、上記構成にしたがって、本実施形態の構成要件について説明する。
【００５２】
「フォーカスレンズ部」（２００１）、「被写体画像情報取得部」（２００２）そして「比較部」（２００４）については実施形態１と同様であり、説明は省略する。
【００５３】
「判断部」（２００３）は、実施形態５の判断部に加え、遠近判断手段での判断結果を、ユーザーに告げる第二指示手段をさらに有する。第二指示手段は、撮像距離が比較条件を満たさないときに、撮像距離が比較条件を満たす距離より遠い側にあるか近い側にあるかの判断結果を指示する。指示方法については、実施形態６の例と同様である。
【００５４】
（実施形態７の処理の流れ）図２１は本実施形態における処理の流れの一例を示したものである。撮像距離が比較条件を満たすか、比較条件を満たす距離より近い側にあるか遠い側にあるかの判断を行うまでは実施形態５と同様である。本実施形態では撮像距離が比較条件を満たさないときは、撮像距離が比較条件を満たす距離より遠い側にあるか近い側にあるかの判断結果をユーザーに告げる（ＳＴＥＰ２１０６、２１０７）。ユーザーはその指示に従って画像認証携帯端末装置あるいは被写体を移動させ、撮像距離が比較条件を満たすまで同じ処理を繰り返す。
【００５５】
（実施形態７の効果）以上のように本実施形態は、撮像距離が比較条件を満たさない場合、撮像距離が比較条件を満たす距離より近い側にあるか遠い側にあるかの判断結果をユーザーに告げることができる。本実施形態では、画像認証携帯端末装置が撮像距離の遠近判断をも行いその結果をユーザーに指示することで、ユーザーが画像認証携帯端末装置あるいは被写体をどの方向に移動させれば良いのかを判断することができる。
【００５６】
<実施形態８>（実施形態８の概要）本実施形態は、実施形態１から７までの比較条件を、ユーザーの意思で設定することができる機能を有する。比較条件の設定は、ユーザーが直接行うこともできるし、業者に依頼して設定することもできる。
【００５７】
（実施形態８の構成）図２２は、本実施形態の画像認証携帯端末装置（２２００）の機能ブロック図を表す。図２２にあるように、本実施形態の画像認証携帯端末装置は、「フォーカスレンズ部」（２２０１）と、「被写体画像情報取得部」（２２０２）と、「判断部」（２２０３）と、「比較部」（２２０４）と、を有する。まず、上記構成にしたがって、本実施形態の構成要件について説明する。
【００５８】
「フォーカスレンズ部」（２２０１）、「被写体画像情報取得部」（２２０２）、そして「判断部」（２２０３）については実施形態１から７までと同様であり、説明は省略する。
【００５９】
「比較部」（２２０４）は、実施形態１から７までの比較部に加え、比較条件を設定するための比較条件設定手段を有する。比較条件の設定はユーザーの意思で行うことができ、ユーザーが直接操作して設定することもできるし、ユーザーが業者に依頼して設定することもできる。例えば、当初の設定では、撮像距離に関する比較条件が３２ｃｍから３３ｃｍとなっていた場合、ユーザーが比較条件を満たす撮像距離を３０ｃｍから３５ｃｍと変更すれば、画像認証の正確性は劣っても、撮影をより容易に行うことができる。
【００６０】
（実施形態８の処理の流れ）図２３は本実施形態における処理の流れの一例を示したものである。本実施形態ではカメラ内におけるフォーカスレンズの位置を制御する前に、比較条件の設定をするか設定をしないかの選択ができ（ＳＴＥＰ２３０１）、設定をすると選択したときは予め設定された比較条件を変更する（ＳＴＥＰ２３０２）。その後の処理及び比較条件の設定をしないと選択した後の処理は、実施形態１から７までと同様である。
【００６１】
（実施形態８の効果）以上のように本実施形態は、比較条件をユーザーの意思で設定することができる。このような機能を有することで、ユーザーは、例えば、認証の照合率と撮影の容易さのどちらを重視するかの選択をすることができる。
【図面の簡単な説明】
【００６２】
【図１】本発明の概要を表した図。
【図２】実施形態１における画像認証携帯端末装置の機能ブロックの一例を表す図。
【図３】実施形態１における処理の流れの一例を表すフローチャート。
【図４】実施形態２における画像認証携帯端末装置の機能ブロックの一例を表す図。
【図５】実施形態２における処理の流れの一例を表すフローチャート。
【図６】実施形態３における画像認証携帯端末装置の機能ブロックの一例を表す図。
【図７】実施形態３における判断部の判断方法。
【図８】実施形態３における被写体画像情報のコントラスト比の変化をフォーカスレンズ位置に対して表したグラフ。(ａ)撮像距離が比較条件を満たすとき。（ｂ）撮像距離が比較条件を満たさないとき。
【図９】実施形態３における処理の流れの一例を表すフローチャート。
【図１０】実施形態４における画像認証携帯端末装置の機能ブロックの一例を表す図。
【図１１】実施形態４における判断部の判断方法。
【図１２】実施形態４における被写体画像情報のコントラスト比の変化をフォーカスレンズ位置に対して表したグラフ。(ａ)撮像距離が比較条件を満たすとき。（ｂ）撮像距離が比較条件を満たさないとき。
【図１３】実施形態４における処理の流れの一例を表すフローチャート。
【図１４】実施形態５における画像認証携帯端末装置の機能ブロックの一例を表す図。
【図１５】実施形態５における被写体画像情報のコントラスト比の変化をフォーカスレンズ位置に対して表したグラフ。(ｂ)撮像距離が比較条件を満たすとき。（ａ）撮像距離が比較条件を満たす距離より遠い側にあるとき。（ｃ）撮像距離が比較条件を満たす距離より近い側にあるとき。
【図１６】実施形態５における被写体画像情報のコントラスト比の変化をフォーカスレンズ位置に対して表したグラフ。(ｂ)撮像距離が比較条件を満たすとき。（ａ）撮像距離が比較条件を満たす距離より遠い側にあるとき。（ｃ）撮像距離が比較条件を満たす距離より近い側にあるとき。
【図１７】実施形態５における処理の流れの一例を表すフローチャート。
【図１８】実施形態６における画像認証携帯端末装置の機能ブロックの一例を表す図。
【図１９】実施形態６における処理の流れの一例を表すフローチャート。
【図２０】実施形態７における画像認証携帯端末装置の機能ブロックの一例を表す図。
【図２１】実施形態７における処理の流れの一例を表すフローチャート。
【図２２】実施形態８における画像認証携帯端末装置の機能ブロックの一例を表す図。
【図２３】実施形態８における処理の流れの一例を表すフローチャート。
【符号の説明】
【００６３】
０２００    画像認証携帯端末装置
０２０１    フォーカスレンズ部
０２０２    被写体画像情報取得部
０２０３    判断部
０２０４    比較部
【図１】
2005354328.tif 000003
【図２】
2005354328.tif 000004
【図３】
2005354328.tif 000005
【図４】
2005354328.tif 000006
【図５】
2005354328.tif 000007
【図６】
2005354328.tif 000008
【図７】
2005354328.tif 000009
【図８】
2005354328.tif 000010
【図９】
2005354328.tif 000011
【図１０】
2005354328.tif 000012
【図１１】
2005354328.tif 000013
【図１２】
2005354328.tif 000014
【図１３】
2005354328.tif 000015
【図１４】
2005354328.tif 000016
【図１５】
2005354328.tif 000017
【図１６】
2005354328.tif 000018
【図１７】
2005354328.tif 000019
【図１８】
2005354328.tif 000020
【図１９】
2005354328.tif 000021
【図２０】
2005354328.tif 000022
【図２１】
2005354328.tif 000023
【図２２】
2005354328.tif 000024
【図２３】
2005354328.tif 000025